(57)【特許請求の範囲】
【請求項１】
商用電源等の外部電源を入力して機器に必要な電源電圧を供給するために、プリント配線基板の一方の面に前記外部電源と接続するために構成される入力端子とこの入力端子と接続され前記プリント配線基板の所定の回路部に半田付けにより固定される接続端子を有する外部電源入力ブロックと、前記外部電源入力ブロックの接続端子を一次側端子として前記プリント配線基板上で接続され所定の電源電圧に変換する電源トランスとを取り付け、かつ前記接続端子が前記プリント配線基板の他方の面に露出されてなる電源装置において、
前記プリント配線基板における前記外部電源入力ブロックを取り付けた面側に、難燃性の火炎遮蔽部材を、前記接続端子を有する外部電源入力ブロックの外周であってその後端まで形成された切欠部に嵌合させるとともに密着して保持させて、前記外部電源入力ブロックに近接した場所に装着したことを特徴とする電源装置。
【請求項２】
前記火炎遮蔽部材を難燃性ＵＬ規格９４Ｖ−０相当の難燃性を有する樹脂組成物から形成したことを特徴とする請求項１記載の電源装置。
【請求項３】
前記火炎遮蔽部材を金属材料から形成したことを特徴とする請求項１記載の電源装置。
【請求項４】
請求項１〜請求項３のいずれかに記載の電源装置を、外部電源入力ブロックを取り付けたプリント配線基板の面を上向きにしてキャビネットに取り付けたことを特徴とする機器。
【発明の詳細な説明】
【０００１】
【発明の属する技術分野】
本発明は、外部電源を利用する音響機器などの機器に用いるための電源装置及びそれを用いた機器に関するものである。
【０００２】
【従来の技術】
近年、あらゆる家電製品に対して、消費者保護の立場より、ＰＬ法制定等安全面では特に製造者責任のウエイトが大きくなっている。特に火災等に関する事項は、第一優先で実施すべきものである。そのため、音響機器などの家電製品において種々の対策がなされており、それに利用する電源装置においてもその対策がなされている。
【０００３】
図６及び図７は音響機器などに用いられる従来の電源装置の一例を示すものである。
図６及び図７において、電源装置１０１は、電源プリント配線基板１０２、パワ−トランスユニット１０３及びＡＣインレット１０４から構成され、音響機器を構成する各種部品を収納するための、樹脂にて形成された例えば前キャビネットと後キャビネットをからなるキャビネット内において、各種部品の後方すなわち後キャビネット１０５内の後部に配置される。
【０００４】
前記電源装置１０１は、前記電源プリント配線基板１０２上に前記パワ−トランスユニット１０３、ＡＣインレット１０４の接続端子１０４ａ及びその他の電気部品（図示せず）がそれぞれ半田付けされて形成されており、前記接続端子１０４ａが前記電源プリント配線基板１０２の裏面側に露出しているものである。そして、この電源装置１０１は、後キャビネット１０５内にこれと一体に形成されたガイドピン１０５ａによって位置決めされ、締結ビス１０６によって後キャビネット１０５のビス受け部１０５ｂにビス締めされて固定される。前記電源装置１０１は、ＡＣインレット１０４における一次活電部である接続端子１０４ａの露出部から仮に発火して火炎Ｆが生じたとしても、前記接続端子１０４ａの近傍に配置された前記ガイドピン１０５ａなどの可燃部品が上昇する火炎Ｆに干渉しないように、前記電源プリント配線基板１０２の電気部品が取り付けられた面を下向きにして配置され、さらに、後キャビネット１０５自体が上昇する火炎Ｆに干渉しないように、前記電源装置１０１の上方に十分な間隙をもつようにキャビネットのサイズを大き目に形成している。
【０００５】
【発明が解決しようとする課題】
しかし、前記のような従来の構成においては、ＡＣインレットを各種部品の後部に配置するとともに、外殻部品である後キャビネットを大きなサイズに形成するため、機器全体のサイズを大きくせざるを得ないものであり、さらに、外観デザイン、各種部品の配置構成などに制約を受けることがあり、必然的に形状が複雑になるとともにコストアップにもつながるという問題がある。
【０００６】
また、可燃部品が火炎に干渉しないようにするためには、発火源となるＡＣインレット全体を難燃グレードの高いＵＬ規格９４Ｖ−０相当の樹脂成形品又は金属材料からなる成形品などによって覆うことも考えられるが、この場合はコストが高くなり、また、前記と同様に各種部品の配置構成に制約を受けることがある。
【０００７】
そこで、本発明は前記課題を解決しようとするものであって、機器の作動状況により仮に発火したとしても火炎の広がりを最小限に抑えて他の部品への延焼を防ぐことができ、しかも、各種部品の配置構成、外観デザインの自由度を向上させることができるとともに、コストも低く抑えることができる電源装置及びこれを用いた機器を提供することを課題とする。
【０００８】
【課題を解決するための手段】
前記課題を解決するための本発明の電源装置は、商用電源等の外部電源を入力して機器に必要な電源電圧を供給するために、プリント配線基板の一方の面に前記外部電源と接続するために構成される入力端子とこの入力端子と接続され前記プリント配線基板の所定の回路部に半田付けにより固定される接続端子を有する外部電源入力ブロックと、前記外部電源入力ブロックの接続端子を一次側端子として前記プリント配線基板上で接続され所定の電源電圧に変換する電源トランスとを取り付け、かつ前記接続端子が前記プリント配線基板の他方の面に露出されてなる電源装置において、前記プリント配線基板における前記外部電源入力ブロックを取り付けた面側に、難燃性の火炎遮蔽部材を、前記接続端子を有する外部電源入力ブロックの外周であってその後端まで形成された切欠部に嵌合させるとともに密着して保持させて、前記外部電源入力ブロックに近接した場所に装着したものである。
【０００９】
前記構成によれば、プリント配線基板における外部電源入力ブロックを取り付けた面側に、難燃性の火炎遮蔽部材を接続端子を有する外部電源入力ブロックの外周に嵌合させるとともに密着して保持させて前記外部電源入力ブロックの周囲に装着したので、この電源装置を外部電源入力ブロックを取り付けたプリント配線基板の面が上向きになるように機器のキャビネットに取り付けることによって、機器の作動状況により仮に接続端子の露出部から発火したとしても、上昇する火炎がプリント配線基板を介して火炎遮蔽部材によって遮蔽されて、上昇する火炎の広がりを最小限に抑えて他の部品への延焼を防ぐことができ、また、接続端子周辺の燃焼を少なく抑えることができる。しかも、火炎遮蔽部材を外部電源入力ブロックに嵌合するとともにプリント配線基板上に密着するようにしたことから、火炎遮蔽部材の装着スペースが他の各種部品の配置構成、キャビネットのサイズに影響を与えることがなく、各種部品の配置構成、外観デザインなどの自由度を向上させることができる。さらに、火炎遮蔽部材をプリント配線基板上で外部電源入力ブロックの周囲に装着するようにしたので、外部電源入力ブロック全体などを覆う場合に比べると、コストを低く抑えることができる。
【００１０】
また、請求項２に記載の発明は、前記構成において、火炎遮蔽部材を難燃性ＵＬ規格９４Ｖ−０相当の難燃性を有する樹脂組成物から形成したものである。
前記構成によれば、樹脂組成物の難燃性が発揮されてより確実に他の部品への延焼を防ぐことができる。
【００１１】
さらに、請求項３に記載の発明は、前記構成において、火炎遮蔽部材を金属材料から形成したものである。
前記構成によれば、金属材料の難燃性が発揮されてより確実に他の部品への延焼を防ぐことができる。
【００１２】
また、本発明の機器は、前記電源装置を、外部電源入力ブロックを取り付けたプリント配線基板の面を上向きにしてキャビネットに取り付けたものである。
前記構成によれば、前記電源装置の特長が反映されて、機器の作動状況により仮に発火したとしても火炎の広がりを最小限に抑えて他の部品への延焼を防ぐことができ、しかも、各種部品の配置構成、外観デザインの自由度を向上させることができるとともに、コストも低く抑えることができる機器が提供される。
【００１３】
【発明の実施の形態】
以下、本発明の実施の形態について、図１から図５を用いて説明する。
（実施の形態１）
図１は本発明の実施の形態における電源装置の分解斜視図、図４は同装置の取付け状態を示す正面図、図５は図４の断面図を示す。
【００１４】
図１、図４、図５において、電源装置１は、電源プリント配線基板２、パワートランスユニット（電源トランス）３、ＡＣインレット（外部電源入力ブロック）４及び火炎遮蔽板（火炎遮蔽部材）７から構成され、例えば音響機器などの電気機器の電源装置として用いられるものである。
【００１５】
前記電源装置１において、電源プリント配線基板２、ＡＣインレット４及び火炎遮蔽板７はそれぞれ難燃性ＵＬ規格９４Ｖ−０相当の難燃性を有する樹脂組成物の成形品から構成される。
【００１６】
前記ＡＣインレット４は、前記難燃性を有する樹脂組成物を所定形状のブロックに成形したものであって、その下部両側にその長手方向に沿って切欠部４ｂがそれぞれ形成され、それによって電源プリント配線基板２との間に所定の間隔を保つように構成されている。そして、このＡＣインレット４には外部電源と接続するための入力端子（図示せず）とこれと接続した活電部である接続端子４ａを備えている。
【００１７】
前記ＡＣインレット４は電源プリント配線基板２上に取り付けられてその接続端子４ａが前記プリント配線基板２の所定の回路部に半田付けされ、その先端部が電源プリント配線基板２の裏面側で露出している。
【００１８】
また、前記電源プリント配線基板２上には、パワートランスユニット３が取り付けられてその接続部が前記電源プリント配線基板２上に半田付けされ、前記所定の回路部を介して前記接続端子４ａに接続される。
【００１９】
なお、前記電源プリント配線基板２上には、ＡＣインレット４の接続端子４ａ、パワートランスユニット３の接続部の他、その他の電気部品８及び接続用リード線９などがそれぞれ半田付けされる。
【００２０】
前記火炎遮蔽板７は前記ＡＣインレット４の形状に合わせて前記難燃性を有する樹脂組成物をＵ字状に成形したものであって、その対向部７ａ、７ｂとが連結部７ｃによって連結された形状を有していて、この対向部７ａ、７ｂを前記ＡＣインレット４に形成した両切欠部４ｂに沿ってスライドさせてＡＣインレット４の外周に嵌合可能なように形成されている。この火炎遮蔽板７の対向部７ａと７ｂとの間隔Ｌ1はＡＣインレット４の両切欠部４ｂ間の間隔Ｌ2よりも若干小さい間隔に設定されてＡＣインレット４に圧入されるように形成されており、その弾性によって火炎遮蔽板７がＡＣインレット４に保持されるようになっている。これは電源装置１を前記音響機器に取り付けるときまでの仮保持のためである。また、前記連結部７ｃは所定の幅寸法Ｌ3に形成されている。
【００２１】
さらに詳しく説明する。
図２は火炎遮蔽板７をＡＣインレット４にセットする前の状態を示し、前記切欠部４ｂはＡＣインレット４の前端４０から後端４１まで形成されているのではなく、前端４０から後退した位置に前側面４０ａから側方に突出して形成されたリブ４２の底部と前記基板２との間に火炎遮蔽板７が差し込まれる前記切欠部４ｂがＡＣインレット４の後端４１まで形成されている。
【００２２】
なお、火炎遮蔽板７の対向部７ａ，７ｂの先端の内側には、作業性を考慮して開口が大きくなるようにテーパー４３ａ，４３ｂが形成されており、このテーパー４３ａ，４３ｂの基端から連結部７ｃにかけて、対向部７ａ，７ｂの内側には、両者間の間隔を狭くする凸部４４ａ，４４ｂが形成されており、凸部４４ａ，４４ｂの間隔が前記Ｌ1である。
【００２３】
このように前記切欠部４ｂがＡＣインレット４の前端４０から後退した位置に形成したので、火炎遮蔽板７をセットする際の作業性が良好である。具体的には、ＡＣインレット４に対して火炎遮蔽板７を図１に仮想線で示した位置から矢印４５で示すように前記切欠部４ｂへ向かって水平方向から挿入しなくても、図３に示すように火炎遮蔽板７を斜め上方から挿入しても、リブ４２の底部と基板２との間に火炎遮蔽板７を差し込める。
【００２４】
前記構成を有する火炎遮蔽板７は電源プリント配線基板２上に取り付けた前記ＡＣインレット４の両切欠部４ｂに沿わせるとともに電源プリント配線基板２上に密着して嵌合されて前記ＡＣインレット４に保持されて、前記ＡＣインレット４の周囲に装着される。これによって、機器の作動状況により仮に接続端子４ａの露出部から発火したとしても、上昇する火炎が電源プリント配線基板２を介して火炎遮蔽板７によって遮蔽されるようになっている。
【００２５】
前記火炎遮蔽板７が装着された電源装置１は、音響機器を構成する各種部品を収納するための樹脂成形品からなるキャビネットのうちの、後キャビネット５内の各種部品の後方に電源プリント配線基板２の部品取付け面を上向きにして取り付けられる。
【００２６】
前記電源装置１を前記後キャビネット５に取り付けるに際しては、図４、図５に示すように、パワートランスユニット３をそれに形成されたアングル孔３ａと後キャビネット５と一体に形成されたガイドピン５ｂとによって位置決めし、締結ビス６でビス受け部５ｄにビス締めし、また、ＡＣインレット４を後キャビネット５と一体に形成されたガイドピン５ａによって位置決めし、ＡＣインレット４に形成された貫通孔４ｃを介してビス受け部５ｅにビス締めし、それによって電源装置１が後キャビネット５に固定される。このとき、火炎遮蔽部材７の連結部７ｃはビス締めされることによって、ＡＣインレット４の前面部４ｄと後キャビネット５のリブ５ｃとの間で挟持される。したがって、前記連結部７ｃの幅寸法Ｌ３はＡＣインレット４の前面部４ｄと後キャビネット５のリブ５ｃとの間の間隔と等しい寸法に設定される。
【００２７】
前記構成によれば、ＡＣインレット４の周囲に火炎遮蔽板７を装着するとともに、電源装置１を電源プリント配線基板２の部品取りつけ面を上向きにして音響機器に取り付けたので、前記音響機器の作動状況により仮に接続端子４ａの露出部から発火したとしても、その火炎の上方への広がりが電源プリント配線基板を介して火炎遮蔽板７によって遮蔽され、火炎が電源プリント配線基板２の裏面側から電源プリント配線基板２の側面を経由して上方へ移動しようとするため、この火炎がキャビネット内の上方に配置された可燃部品と干渉することは極めて少なくなり、また、接続端子４ａ周辺の燃焼を少なく抑えることができる。したがって、可燃部品への延焼を最小限に留めることができる。また、電源プリント配線基板２及びＡＣインレット４も火炎遮蔽板７と同様に難燃性の樹脂組成物から形成したので、可燃部品への延焼をより一層少なくすることができる。さらに、火炎の上昇を少なくすることができることから、キャビネットの難燃性については、例えば難燃性ＵＬ規格９４Ｖ−２以上の難燃性グレード相当の難燃性を確保することができる。さらにまた、各種部品の配置構成、外観デザインなどの自由度が向上するとともに、コストも低く抑えることができる。
【００２８】
前記実施の形態では、火炎遮蔽板７を難燃性ＵＬ規格９４Ｖ−０相当の難燃性を有する樹脂組成物から形成したが、火炎遮蔽板７を金属材料例えば鋼材からなる板金などから形成してもよく、この場合も前記実施の形態と同等の効果を奏する。
【００２９】
【発明の効果】
以上のように本発明の電源装置によれば、機器の作動状況により仮に発火したとしても火炎の広がりを最小限に抑えて他の部品への延焼を防ぐことができ、しかも、各種部品の配置構成、外観デザインの自由度を向上させることができるとともに、コストも低く抑えることができる。
【００３０】
また、請求項２の発明によれば、より確実に他の部品への延焼を防ぐことができる。
さらに、請求項３の発明によれば、より確実に他の部品への延焼を防ぐことができる。
【００３１】
さらに、本発明の機器によれば、前記電源装置の特長が反映されて、機器の作動状況により仮に発火したとしても火炎の広がりを最小限に抑えて他の部品への延焼を防ぐことができ、しかも、各種部品の配置構成、外観デザインの自由度を向上させることができるとともに、コストも低く抑えることができる機器が提供される。
【図面の簡単な説明】
【図１】本発明の一実施の形態における電源装置の分解斜視図
【図２】同実施の形態の組み立て前の要部斜視図
【図３】同実施の形態の組み立て時の要部斜視図
【図４】同装置の取付け状態を示す正面図
【図５】図４の断面図
【図６】従来の電源装置の一例を示す正面図
【図７】図６の断面図
【符号の説明】
１  電源装置
２  電源プリント配線基板
３  パワートランスユニット
３ａ  アングル孔
４  ＡＣインレット
４ａ  接続端子
４ｂ  切欠部
４ｃ  貫通孔
４ｄ  前面部
５  後キャビネット
５ａ  ガイドピン
５ｂ  ガイドピン
５ｃ  リブ
５ｄ  ビス受け部
５ｅ  ビス受け部
６  締結ビス
７  火炎遮蔽板
７ａ、７ｂ  対向部
７ｃ  連結部
８  電気部品
９  接続リード線
Ｌ１、Ｌ２、Ｌ３  火炎遮蔽板の寸法
１０１  電源装置
１０２  電源プリント配線基板
１０３  パワートランスユニット
１０４  ＡＣインレット
１０４ａ  ガイドピン
１０５  後キャビネット
１０５ａ  ガイドピン
１０５ｂ  ビス受け部
１０６  締結ビス
Ｆ  火炎
【図１】
0004766763.tif 000002
【図２】
0004766763.tif 000003
【図３】
0004766763.tif 000004
【図４】
0004766763.tif 000005
【図５】
0004766763.tif 000006
【図６】
0004766763.tif 000007
【図７】
0004766763.tif 000008